(57)【特許請求の範囲】
【請求項１】
ユーザ機器（ＵＥ）において実装される方法であって、
設定可能なヌメロロジーを有する制御領域の現在のヌメロロジーを指示するシステム情報を受信すること（Ｓ１１０）と、
前記現在のヌメロロジーに基づいて少なくとも２つの所定のチャネルマッピングから選択されるチャネルマッピングの仮定に従って前記制御領域を復号すること（Ｓ１２０）と
を含み、
前記システム情報は、ブロードキャストチャネル上で受信され、
前記所定のチャネルマッピングは、マルチシンボルマッピングおよびシンボル毎のマッピングを含む、方法。
【請求項２】
データ領域のヌメロロジーと、前記制御領域の前記現在のヌメロロジーとを比較することをさらに含み、
前記チャネルマッピングは、前記比較の成果に基づいて選択される、請求項１に記載の方法。
【請求項３】
前記制御領域は共通の部分およびＵＥ特有の部分を含み、前記部分のうちの一方のヌメロロジーは、前記部分の他方のヌメロロジーから独立して設定可能であり、
前記比較は、前記データ領域および前記制御領域の共通の部分のヌメロロジーに関連する、請求項２に記載の方法。
【請求項４】
シンボル毎のマッピングは、前記データ領域の前記ヌメロロジーと、前記制御領域の前記現在のヌメロロジーとが異なる場合に選択される、請求項２または３に記載の方法。
【請求項５】
シンボル毎のマッピングは、前記制御領域の前記現在のヌメロロジーが前記データ領域の前記ヌメロロジーよりも大きいサブキャリア間隔を規定する場合に選択される、請求項４に記載の方法。
【請求項６】
マルチシンボルマッピングは、前記データ領域の前記ヌメロロジーと、前記制御領域の前記現在のヌメロロジーとが等しいまたは等価である場合に選択される、請求項２から５のいずれか一項に記載の方法。
【請求項７】
シンボル毎のマッピングは、各物理下りリンク制御チャネル（ＰＤＣＣＨ）が１つのＯＦＤＭシンボル内に包含されることを伴う、請求項１から６のいずれか一項に記載の方法。
【請求項８】
マルチシンボルマッピングは、１つの物理下りリンク制御チャネル（ＰＤＣＣＨ）が１つのＯＦＤＭシンボルを超えることを伴う、請求項１から７のいずれか一項に記載の方法。
【請求項９】
基地局（ＢＳ）において実装される方法であって、
設定可能なヌメロロジーを有する制御領域の現在のヌメロロジーを指示するシステム情報を送信すること（Ｓ２１０）と、
少なくとも２つの所定のチャネルマッピングから選択されるチャネルマッピングを使用して信号を生成すること（Ｓ２２０）と、
前記生成された信号を前記制御領域内で送信すること（Ｓ２３０）と
を含み、
前記システム情報は、ブロードキャストチャネル上で送信され、
前記所定のチャネルマッピングは、マルチシンボルマッピングおよびシンボル毎のマッピングを含み、
前記チャネルマッピングは、前記制御領域の前記現在のヌメロロジーに基づいて選択される、方法。
【請求項１０】
シンボル毎のマッピングは、データ領域のヌメロロジーと、前記制御領域の前記現在のヌメロロジーとが異なる場合に選択される、請求項９に記載の方法。
【請求項１１】
シンボル毎のマッピングは、前記制御領域の前記現在のヌメロロジーが前記データ領域の前記ヌメロロジーよりも大きいサブキャリア間隔を規定する場合に選択される、請求項１０に記載の方法。
【請求項１２】
マルチシンボルマッピングは、データ領域のヌメロロジーと、前記制御領域の前記現在のヌメロロジーとが等しいまたは等価である場合に選択される、請求項９から１１のいずれか一項に記載の方法。
【請求項１３】
シンボル毎のマッピングは、各物理下りリンク制御チャネル（ＰＤＣＣＨ）が１つのＯＦＤＭシンボル内に包含されることを伴う、請求項９から１２のいずれか一項に記載の方法。
【請求項１４】
マルチシンボルマッピングは、１つの物理下りリンク制御チャネル（ＰＤＣＣＨ）が１つのＯＦＤＭシンボルを超えることを伴う、請求項９から１３のいずれか一項に記載の方法。
【請求項１５】
ユーザ機器（１）であって、
プロセッサ（１０）と、
通信インターフェース（１１）と、
命令を記憶しているコンピュータプログラム製品（１２、１３）と
を備え、前記命令は、前記プロセッサによって実行されると、前記ＵＥに、
設定可能なヌメロロジーを有する制御領域の現在のヌメロロジーを指示するシステム情報を受信することと、
前記現在のヌメロロジーに基づいて少なくとも２つの所定のチャネルマッピングから選択されるチャネルマッピングの仮定に従って前記制御領域を復号することと
を行わせ、
前記システム情報は、ブロードキャストチャネル上で受信され、
前記所定のチャネルマッピングは、マルチシンボルマッピングおよびシンボル毎のマッピングを含む、ユーザ機器（１）。
【請求項１６】
基地局（２）であって、
プロセッサ（２０）と、
通信インターフェース（２１）と、
命令を記憶しているコンピュータプログラム製品（２２、２３）と
を備え、前記命令は、前記プロセッサによって実行されると、前記ＢＳに、
設定可能なヌメロロジーを有する制御領域の現在のヌメロロジーを指示するシステム情報を送信することと、
少なくとも２つの所定のチャネルマッピングから選択されるチャネルマッピングを使用して信号を生成することと、
前記生成された信号を前記制御領域内で送信することと
を行わせ、
前記システム情報は、ブロードキャストチャネル上で送信され、
前記所定のチャネルマッピングは、マルチシンボルマッピングおよびシンボル毎のマッピングを含み、
前記チャネルマッピングは、前記制御領域の前記現在のヌメロロジーに基づいて選択される、基地局（２）。
【請求項１７】
コンピュータプログラムコードを備えるコンピュータプログラム（１４、１５；２４、２５）であって、前記コンピュータプログラムコードは、ユーザ機器上で作動されると、前記ユーザ機器に、請求項１から８のいずれか一項に記載の方法を実施させ、基地局上で作動されると、前記基地局に、請求項９から１３のいずれか一項に記載の方法を実施させる、コンピュータプログラム（１４、１５；２４、２５）。
【請求項１８】
請求項１７に記載のコンピュータプログラム（１４、１５；２４、２５）を記憶するためのコンピュータ可読記憶媒体を含む、コンピュータプログラム製品（１２、１３；２２、２３）。
【発明の詳細な説明】
【技術分野】
【０００１】
本明細書において開示されているのは、ネットワークにおいて複数のヌメロロジー（ｎｕｍｅｒｏｌｏｇｙ）を有効化するための方法、ならびに、ネットワークのユーザ機器、基地局、コンピュータプログラムおよびコンピュータプログラムデバイスである。
【背景技術】
【０００２】
第５世代の移動体通信およびワイヤレス技術はまだ完全には定義されていないが、第３世代パートナーシッププロジェクト（３ＧＰＰ）内では進歩した起草段階にある。これは、５Ｇ  Ｎｅｗ  Ｒａｄｉｏ（ＮＲ）アクセス技術に関する研究を含む。５Ｇにおいては異なる用語が指定されるが、本開示においては、均等な５Ｇエンティティまたは機能を含めるために、ロングタームエボリューション（ＬＴＥ）の専門用語が、将来を見通す意味合いで使用される。２０１６年１１月現在の５Ｇ  ＮＲアクセス技術に関する合意の全般的な記述は、３ＧＰＰ  Ｔｅｃｈｎｉｃａｌ  Ｒｅｐｏｒｔ  ３８．８０２  ｖ０．３．０（２０１６−１１）に包含    されている。
【０００３】
３ＧＰＰにおいては、５Ｇのための新規の無線インターフェースを検討する過去のおよび進行中の研究項目が存在する。この新規の次世代技術を表すための用語はまだ１つに定まっておらず、そのため、ＮＲおよび５Ｇという用語は交換可能に使用される。
【０００４】
３ＧＰＰ  ＴＳＧ  ＲＡＮ  ＷＧ１がＮＲ関連事項について行う必要がある第１の主要な決定の１つが、「ヌメロロジー」および「フレーム構造」という用語によって表されることが多いものである。３ＧＰＰ  ＴＳＧ  ＲＡＮ  ＷＧ１において、ヌメロロジーという用語は、サブキャリア間隔（ＳＣＳ）、ＯＦＤＭシンボル長、サイクリックプレフィックス長、サブフレームまたはスロットあたりのシンボルの数、サブフレーム長、およびフレーム長などのＯＦＤＭ無線インターフェースの態様を記述する重要な数値パラメータを決定するために使用される。これらの用語のいくつかはまた、例えば、フレーム長、フレームあたりのサブフレームの数、サブフレーム長、ならびに、制御情報を搬送するスロット、フレームまたはサブフレーム内のシンボルの位置および数、ならびに、データを搬送するチャネルの位置などのフレーム構造という用語の分類にも入る場合がある。ＮＲにおいて、サブフレームは１ｍｓであり、１ｍｓクロックを確立する。送信にはスロットまたはミニスロットが使用される。スロットは７または１４のシンボルから成り、７シンボルは、６０ｋＨｚ以下のサブキャリア間隔のためのものであり、１４シンボルは６０ｋＨｚよりも大きいサブキャリア間隔のためのものである。
【０００５】
加えて、フレーム構造という用語は、例えば、参照信号（パイロット信号）の定位および密度、制御チャネルの配置および構造、時分割複信（ＴＤＤ）のための上りリンクから下りリンクへの（およびその逆の）切り替えのためのガード時間の位置および長さ、ならびに時間位置整合など、フレーム、サブフレームおよびスロットの構造を反映する様々な追加の態様を含み得る。一般的に、ヌメロロジーおよびフレーム構造は、無線インターフェースの基本的な態様およびパラメータのセットを包含する。
【０００６】
ＬＴＥは、１５ｋＨｚの単一のサブキャリア間隔をサポートする。ＬＴＥにおけるいくつかの他のパラメータについては、いくらかの追加の自由度が存在する。例えば、サイクリックプレフィックスの長さおよびサブフレーム内の制御領域のサイズを設定することが可能である。同様に、ＬＴＥは、例えば、それぞれ周波数分割複信（ＦＤＤ）、ＴＤＤ、および狭帯域モノのインターネット（ＮＢ−ＩｏＴ）のための複数の異なるフレーム構造をサポートすることができる。
【０００７】
３ＧＰＰ  ＴＳＧ  ＲＡＮ  ＷＧ１は最近、ＮＲにおいて、混合したサブキャリア間隔を同じキャリア上でサポートすることが可能であるべきであると合意した。混合サブキャリア間隔の実現可能性は、例えば、３ＧＰＰ  ｃｏｎｔｒｉｂｕｔｉｏｎ  Ｒ１−１６３２２４において研究されており、非直交サブキャリア間の干渉を首尾よく軽減することができることが示されている。
【０００８】
下りリンク制御チャネル
ＮＲについて、提案されているフレーム構造およびＤＬ制御チャネル構造が、図３に示されている。第１のＯＦＤＭシンボルは、少なくとも物理下りリンク制御チャネル（ＰＤＣＣＨ）を包含する。ＰＤＣＣＨを搬送するＯＦＤＭシンボルのセットは、制御領域として知られている。制御領域の長さは、固定であり得るか、半静的に設定され得るか、または、動的にシグナリングされ得る。制御領域を有するＯＦＤＭシンボルに後続して、データおよび復調用参照信号（ＤＭＲＳ）が開始する。
【０００９】
１人の特定のユーザに対するＰＤＣＣＨが、ＯＦＤＭサブキャリアのサブセット上で搬送される。ＰＤＣＣＨのマッピングは、分散されるかまたは局在化されるかのいずれかであり得る。局在化マッピングにおいて、制御チャネルエレメント（ＣＣＥ）が、同じ物理リソースブロック（ＰＲＢ）対内のリソースエレメント（ＲＥ）によって形成される。分散マッピングにおいてＣＣＥは、２つ以上のＰＲＢ対内のＲＥによって形成される。単純にするために、図３内の図解は局在化されている。
【００１０】
ＰＤＣＣＨは、とりわけ、同じスロット（または後のスロットも）内のＤＬリソースを指示する下りリンクスケジューリング情報を搬送することができる。図３は、上方ハッシングおよび水平ハッシングに対応する、２つのＰＤＣＣＨおよび対応する２つのスケジューリングされている物理下りリンク共有チャネル（ＰＤＳＣＨ）を示す。加えて、下方ハッシングに対応する、例えばＵＬ  ｇｒａｎｔなど、対応するＰＤＳＣＨを有しない第３のＰＤＣＣＨが示されている。ＵＥは、当該ＵＥにアドレス指定されているＰＤＣＣＨを検出し、当該ＰＤＣＣＨから、スケジューリング情報など、関連する制御情報を導出する。図面は、１つのＯＦＤＭシンボルの制御領域サイズの事例を図解している。制御領域が複数のＯＦＤＭシンボルにわたって延在する場合、ＰＤＣＣＨのマッピングは、１つのＰＤＣＣＨが単一のＯＦＤＭシンボルに制約されず、制御領域内の複数のＯＦＤＭシンボルにまたがることが許容されるように行われ得る（マルチシンボルＰＤＣＣＨマッピング）。代替的に、マッピングは、１つのＰＤＣＣＨが１つのＯＦＤＭシンボル内でのみ送信される（複数のＰＤＣＣＨは１つのＯＦＤＭシンボル内で送信され得る（シンボル毎のマッピング））ようなものであってもよい。標準的には、１つのＰＤＣＣＨは、特定の無線ネットワーク一時識別子（ＲＮＴＩ）と関連付けられる。ＲＮＴＩは特定のＵＥ、ＵＥのグループまたはセルのすべてのＵＥと関連付けられ得るため、１つのＰＤＣＣＨは、１つのＵＥ、セル内のすべてのＵＥ、または、セル内のＵＥのサブグループに対して方向付けられ得る。
【００１１】
シンボル毎のＰＤＣＣＨマッピングには、時分割多元接続構造がもたらされる、すなわち、異なるＯＦＤＭシンボル内のＰＤＣＣＨを、（アナログ）ビーム形成によって異なる方向においてビーム形成することができるという利点がある。他方、マルチシンボルＰＤＣＣＨマッピングは、例えば、周波数ダイバーシティ（異なるＯＦＤＭシンボル内の周波数領域の異なる部分を、１つのＰＤＣＣＨによって使用することができる）および電力セッティングに関して利点を提供することができる。
【００１２】
ビーム形成
ビーム形成は、放射または受信エネルギーをいくつかの方向に集中させるためのマルチアンテナ技法である。より低い周波数において、（受信側において）アンテナ要素にまたがる受信信号の組み合わせがデジタル領域において行われるか、または、（送信側において）送信アンテナ要素の重みがデジタル領域においてセットされる、デジタルビーム形成を実施することができる。ＯＦＤＭのようなマルチキャリアシステムにおいて、ビームの重みは典型的には、周波数領域において、すなわち、ＯＦＤＭシステム内の送信ＩＦＦＴの前でまたは受信ＦＦＴの後でセットされる。これは、キャリアの異なる帯域幅部分には異なる重みを適用することができ、したがって、キャリアの異なる帯域幅部分上で異なるビームを実現することができることを暗示する。したがって、デジタルビーム形成では、１つのシンボル内に、複数の方向／ユーザを指す複数のビームを作成することが可能である。
【００１３】
アナログビーム形成では、ビーム形成の重みはアナログ領域において、ＲＦ周波数、何らかの中間の周波数、またはさらにはベースバンドのいずれかにセットされる。アナログ信号は時間領域にある、すなわち、形成されるビームは、キャリア全体にわたって同じである。アナログビーム形成では、ビームは、典型的には、１人または数人のユーザのみをカバーする（単一のビーム領域内には数人のユーザしか配置されないため）。複数のユーザをスケジューリングする（すなわち、複数のユーザにビームを向ける）ために、典型的には（必ずしも連続的ではない）シンボルの系列に対してビーム掃引が必要とされ、各シンボルは、異なるユーザをカバーする異なるビーム重み（および、したがってビーム）によって送信される。デジタルビーム形成では、単一のシンボルを用いて複数のユーザに対処することができるが、アナログビーム形成では、典型的には、複数のシンボルが必要とされる。図４を参照されたい。
【００１４】
アナログビーム形成は典型的には、大きい帯域幅が利用可能であり、多くのアンテナ素子が利用されるミリ波（ｍｍＷ）周波数において適用される。大きい帯域幅の処理は、費用がかかり、比較的電力消費が高い、非常に高速なアナログ−デジタル変換器（ＡＤＣ）およびデジタル−アナログ変換器（ＤＡＣ）機器を必要とする。デジタルビーム形成においては、アンテナ素子（グループ）あたり１つのＡＤＣ／ＤＡＣが要求され、一方、アナログビーム形成においては、ビームおよび偏光層あたり１つのＡＤＣ／ＤＡＣが要求される。したがって、送信側においてビーム形成の重みがＤＡＣの下流で適用されるアナログビーム形成は、より単純であり、特に、ｍｍＷ範囲内のように、大きい帯域幅および多くのアンテナ素子について、電力消費を少なくすることができる。
【００１５】
単一のユーザに制御情報を送るには、典型的には、特に相当の帯域幅が利用可能なｍｍＷ周波数においては、ＯＦＤＭシンボル全体は必要ない（すなわち、シンボルの全帯域幅は必要ない）。しかしながら、各ＯＦＤＭシンボルがビーム内のユーザに対する情報で充填され得ない場合、典型的には、１人または数人のみのユーザがビーム内におり、ＯＦＤＭシンボルが十分に利用されなくなる。アナログビーム形成によって複数のユーザに達するために、複数のシンボルにまたがるビーム掃引が適用され、各シンボルが十分に利用されなくなる可能性がある。
【００１６】
それゆえ、従来技術は、データチャネルと比較して、ＤＬ制御チャネルにより広いサブキャリア間隔を使用することを提案している。図５を参照されたい。ＤＬ制御チャネルにより広いサブキャリア間隔を適用することによって、各ＯＦＤＭシンボルはより短くなり、含まれるサブキャリアがより少なくなる（所与の帯域幅について、２ｎ×１５ｋＨｚを使用するＯＦＤＭシンボルは、１５ｋＨｚシンボルが搬送するサブキャリアの１／２ｎ倍のサブキャリアを搬送する）。したがって、各ＯＦＤＭシンボルがより良好に利用され、シンボルの系列はより短くなる。しかしながら、ＤＬ制御のためのより広い（したがって、より短い）サブキャリアは、すべてのシステムにおいて要求されるとは限らず、例えば、デジタルビーム形成を使用するシステムは、１つのシンボル内で複数のユーザに対処することができる。ネットワークに接続しようと試行するＵＥは、ネットワークがＤＬ制御領域に対していずれのＯＦＤＭヌメロロジー（例えば、サブキャリア間隔だけでなく、サイクリックプレフィックス長も）を適用するかを知らない。
【００１７】
さらに、異なるシナリオにおいては異なるＰＤＣＣＨマッピング（シンボル毎のマッピングまたはマルチシンボルマッピング）が好ましい場合がある。
【００１８】
それゆえ、いずれのＯＦＤＭヌメロロジーがＤＬ制御チャネルに使用されるか、および、いずれのＰＤＣＣＨマッピングを使用すべきかをＵＥが知ることが課題である。
【発明の概要】
【００１９】
本明細書において提示されている実施形態の目的は、設定可能なチャネルマッピングが使用されることを可能にする方法である。
【００２０】
第１の態様によれば、ユーザ機器（ＵＥ）によって実施される方法であって、設定可能なヌメロロジーを有する制御領域の現在のヌメロロジーを指示するシステム情報を受信することと、現在のヌメロロジーに基づいて少なくとも２つの所定のチャネルマッピングから選択されるチャネルマッピングの仮定に従って制御領域を復号することとを含む、方法が提示される。
【００２１】
ＵＥが探索空間マッピングおよびＯＦＤＭヌメロロジーに関する情報にアクセスすることができない場合、ＵＥは、ヌメロロジーおよびマッピングをブラインド検出する必要があることになる。ブラインド検出は、ＵＥ実施態様を複雑にし、ＵＥの電力消費を高くする複雑な作業である。第１の態様の利点は、少なくとも一定程度まで、第２の態様およびさらなる態様によって共有される。
【００２２】
第２の態様によれば、基地局（ＢＳ）によって実施される方法であって、設定可能なヌメロロジーを有する制御領域の現在のヌメロロジーを指示するシステム情報を送信することと、少なくとも２つの所定のチャネルマッピングから選択されるチャネルマッピングを使用して信号を生成することと、生成された信号を制御領域内で送信することとを含む、方法が提示される。この態様によれば、チャネルマッピングは、制御領域の現在のヌメロロジーに基づいて選択され、または、逆も成り立つ。
【００２３】
第３の態様によれば、プロセッサと、通信インターフェースと、コンピュータプログラム製品とを備えるＵＥが提示される。コンピュータプログラム製品は、命令を有し、命令は、プロセッサによって実行されると、ＵＥに、設定可能なヌメロロジーを有する制御領域の現在のヌメロロジーを指示するシステム情報を受信することと、現在のヌメロロジーに基づいて少なくとも２つの所定のチャネルマッピングから選択されるチャネルマッピングの仮定に従って制御領域を復号することとを行わせる。
【００２４】
第４の態様によれば、プロセッサと、通信インターフェースと、コンピュータプログラム製品とを備えるＢＳが提示される。コンピュータプログラム製品は、命令を有し、命令は、プロセッサによって実行されると、ＢＳに、設定可能なヌメロロジーを有する制御領域の現在のヌメロロジーを指示するシステム情報を送信することと、少なくとも２つの所定のチャネルマッピングから選択されるチャネルマッピングを使用して信号を生成することと、生成された信号を制御領域内で送信することとを行わせる。これらの態様によれば、チャネルマッピングは、制御領域の現在のヌメロロジーに基づいて選択され、または、その逆も成り立つ。
【００２５】
第５の態様によれば、第１の態様および第２の態様による方法を実施するためのコンピュータプログラムが提示される。
【００２６】
第６の態様によれば、第５の態様のコンピュータプログラムを記憶しているコンピュータ可読媒体を有するコンピュータプログラム製品が提示される。
【００２７】
一般的に、特許請求の範囲内で使用されているすべての用語は、本明細書において明示的に別途定義されない限り、当該技術分野における通常の意味に従って解釈されるべきである。「１つの／その（ａ／ａｎ／ｔｈｅ）要素、装置、構成要素、手段、ステップなど」に対するすべての参照は、明示的に別途記述されない限り、要素、装置、構成要素、手段、ステップなどの少なくとも１つのインスタンスを参照するものとしてオープンに解釈されるべきである。本明細書において開示されている任意の方法のステップは、明示的に別途記述されない限り、開示されている正確な順序で実施される必要はない。
【００２８】
ここで例として、添付の図面を参照して本発明を説明する。
【図面の簡単な説明】
【００２９】
【図１】本明細書において提示されている実施形態を適用することができる環境を図解する概略図である。
【図２】異なるサブキャリア間隔を有するサブバンド領域の周波数多重化を図解する概略図である。
【図３】ＰＤＳＣＨがＰＤＣＣＨによってスケジューリングされる、制御およびデータを有する下りリンクスロット（この例では７シンボル）を示す図である。
【図４】異なる方向にある４つのビーム部分を作成するために４つのシンボルが使用される、連続するＯＦＤＭシンボルがビーム形成されるビーム方向を示す図である。
【図５】異なる方向にある４つのビーム部分を作成するために４つのシンボルが使用され、シンボルがデータシンボルの半分の長さ（したがって、２倍の長さ）を有する、連続するＯＦＤＭシンボルがビーム形成されるビーム方向を示す図である。
【図６Ａ】本明細書において提示されている方法実施形態を図解する流れ図である。
【図６Ｂ】本明細書において提示されている方法実施形態を図解する流れ図である。
【図７】本明細書において提示されているデバイスのいくつかの構成要素を図解する概略図である。
【図８】本明細書において提示されているデバイスのいくつかの構成要素を図解する概略図である。
【図９】本明細書において提示されているデバイスの機能モジュールを示す概略図である。
【図１０】本明細書において提示されているデバイスの機能モジュールを示す概略図である。
【発明を実施するための形態】
【００３０】
本発明は、多くの異なる形態において具現化されてもよく、本明細書に記載の実施形態に限定されるものと解釈されるべきではなく、むしろ、これらの実施形態は、本開示が徹底的かつ完全になり、当業者に本発明の範囲を完全に伝達するように例として提供されていることが留意される。本明細書全体を通じて同様の参照符号は同様の要素を指す。
【００３１】
本明細書において、ユーザ機器（ＵＥ）、端末、ハンドセットなどの用語は、ネットワークインフラストラクチャと通信するデバイスを表すために交換可能に使用される。この用語は、任意の特定のタイプのデバイスを意味するものとして解釈されるべきではなく、すなわち、それらすべてに適用され、本明細書において記載されている実施形態は、記載されているような問題を解決するための検討されているソリューションを使用するすべてのデバイスに適用可能である。同様に、基地局（ＢＳ）は、ＵＥと通信するネットワークインフラストラクチャ内のノードを表すように意図されている。ＮＢ、ｅＮＢ、ｇＮＢなどの異なる名称が適用可能であり得、ＢＳの機能はまた、様々な方法で分散されてもよい。例えば、無線プロトコルの無線ヘッド終端部分、および、無線プロトコルの他の部分を終端させる集中型ユニットがあり得る。ＢＳという用語は、検討されている本発明を実装することができるすべての代替的なアーキテクチャを参照し、そのような実施態様の間で区別は行われない。
【００３２】
図２は、異なるヌメロロジーを有する３つのサブバンド領域の周波数多重化の概略図を提供する。図解において、異なるサブキャリア間隔を使用する３つの異なるキャリア周波数部分などの３つの異なるヌメロロジーが提供されている。
【００３３】
多くの他のパラメータが、少なくも部分的に、サブキャリア間隔に依存する可能性が高いことが留意されるべきである。例えば、ＯＦＤＭ内のシンボル長は、サブキャリア間隔の関数である。シンボル数またはミリ秒単位で定義されるスロット長は、例えば、選択されるヌメロロジーに依存する。これらのパラメータの多くに共通することとして、受信機は、受信機に信号を送信するときに、送信機によっていずれのパラメータが使用されるかを知る必要があるか、または、少なくとも、それを事前に知ることから大いに利益を得る。例えば、ＵＥは、送信ＢＳによって使用されるサブキャリア間隔を知ることから利益を得、それによって、ＵＥは、信号を復号しようと試行するときに、ＢＳによって使用される異なるサブキャリア間隔の仮説を低減することができる。これは、限定ではないが、上述したものを含む、多くのパラメータに適用される。いくつかのパラメータは、ブラインドデコーディングによって識別することができるが、未知のパラメータが多すぎる場合、識別作業はＵＥに重い処理負担を課すことになる。
【００３４】
「ヌメロロジー」という用語は、本明細書において、これらのパラメータまたはパラメータの少なくとも一部を表す。より精密には、列挙されているパラメータのうちの１つが設定可能でないシステムにおいて、ヌメロロジーは、設定不可能なパラメータを含まないものとして理解することができる。時として、「ヌメロロジー」という表現は、設定可能パラメータに割り当てられるべき値のセットを表す場合がある。
【００３５】
３ＧＰＰ  ＴＳＧ  ＲＡＮ  ＷＧ１における現在の合意は、２ｍ×１５ｋＨｚに従ってスケーリングするサブキャリア間隔を含み、ｍは整数であるか、または、好ましくは負でない整数ｍ≧０である。物理リソースブロックが１２サブキャリアから成ることも合意されている。サブフレーム持続時間も１ｍｓに固定されている。スロットは７または１４のシンボルから成り、７シンボルは、６０ｋＨｚ以下のサブキャリア間隔のためのものであり、１４シンボルは６０ｋＨｚよりも大きいサブキャリア間隔のためのものである。
【００３６】
すでに述べたように、３ＧＰＰ  ＴＳＧ  ＲＡＮ  ＷＧ１は、５Ｇ  ＮＲがキャリア内で複数のヌメロロジーをサポートするべきであると合意している。キャリア内に複数の異なるヌメロロジーを有することは、例えば、ＵＥの１つのサブセットの低レイテンシの要件を同時に満たし、同時に、ＵＥの別のセットの良好なカバレッジをサポートするために魅力的であり得る。より一般的に言えば、このとき、異なるヌメロロジーを使用するキャリア上の複数の異なるサブバンドを、異なるＵＥへのおよび異なるＵＥからの送信に使用することができ、ここで、異なるＵＥはサービス品質に対して異なる需要を有する。
【００３７】
しかしながら、キャリア上で複数のヌメロロジーをサポートすることにおけるこの柔軟性によって、問題も生じる。特に、ＵＥなどの受信機は、送信機からの信号を復号しようと試行するときに、いずれのヌメロロジーが仮定されることになるかを事前に知ることから多大な利益を得る。１つの課題は、ＵＥが最初にセルを発見し、セルに接続するときに、いずれのヌメロロジーがセル内のキャリア上で適用されているかを必ずしも知っているとは限らず、特に、異なるヌメロロジーを適用するサブバンド部分が存在するか否かを知らないことである。
【００３８】
ＵＥにとって、ＵＥが下りリンク信号構造、すなわち、ヌメロロジーに関してほとんどまたはまったく知らず、ＢＳからの信号を復号することができるまでに、ブラインドデコーディングを通じて多数の異なる仮定を試行する必要があるソリューションを実装することは困難であるか、または、要求が多い場合がある。この問題は、ＵＥがＢＳとの接続を確立すべきであるとき、すなわち、ＵＥがＢＳから、ＢＳが信号をＵＥにどのように送信するように意図しているかに関する多くの特定の情報をまだ受信していないときに、特に深刻である。
【００３９】
この問題は、本出願人のＰＣＴ／ＳＥ２０１６／０５１０８３に開示されている技法によって対処されている。ここで、ネットワークは、ＵＥがＤＬ制御チャネルを読み取る前にＵＥによって読み取られるブロードキャスト情報内で、いずれのＯＦＤＭヌメロロジーがＤＬ制御チャネルに使用されるかを指示する。これは、共通の探索空間のヌメロロジーに特に当てはまる。ＵＥ特有の探索空間については、ヌメロロジーは、共通の探索空間のものと同じヌメロロジーであり得るか（この場合、ＵＥ特有の探索空間のヌメロロジーを指示するために余分なシグナリングが要求される）、または、ＵＥ特有の探索空間が別個に設定され得るかのいずれかである。ＵＥ特有の探索空間の設定は、典型的には、例えば、ＲＲＣシグナリングを使用する半静的シグナリングを使用して行われる。
【００４０】
データよりも制御により大きいサブキャリア間隔を有する結果として、より多くのＯＦＤＭシンボルが制御領域に利用可能になる。これは、アナログビーム形成にとって有益であり得る。同時に、このタイプの動作について、シンボル毎のＰＤＣＣＨマッピングが必要とされる。１つの可能性は、ＰＤＣＣＨマッピングをＵＥに別個に指示することである。別の（好ましい）可能性は、ＰＤＣＣＨマッピングを制御領域ヌメロロジーにリンクすることであり、その結果、例えば、
―ＵＥがマルチシンボルＰＤＣＣＨマッピングを仮定すべきであることを意味するように、制御領域について、データ領域と同じヌメロロジーが解釈され得（また、このヌメロロジーがネットワークによって使用され）、かつ／または、
―ＵＥがシンボル毎のＰＤＣＣＨマッピングを仮定すべきであることを意味するように、制御領域について、データ領域と比較して異なる（またはより高い）ヌメロロジーが解釈され得る（また、このヌメロロジーがネットワークによって使用される）。
【００４１】
好ましくは、ＢＳおよびＵＥは、制御領域の共通の探索空間がデータ領域と同じヌメロロジーを有するか否かに基づいて、事前に合意した基準を適用する。代替的に、基準は、制御領域のＵＥ特有の探索空間がデータ領域と同じヌメロロジーを有するか否かに基づいて、事前に合意した基準を適用する。
【００４２】
ＰＣＴ／ＳＥ２０１６／０５１０８３に開示されている状況を超えて一般化すると、ネットワークに入ってくるＵＥがネットワークに同期し、（基本）システム情報を読み取る、本明細書における実施形態が、任意のネットワークにおいて実践され得る。（基本）システム情報は、ブロードキャストチャネル（例えば、マスタ情報ブロック（ＭＩＢ）または最小システム情報を搬送する別のチャネル）から取得することができる。取得されるシステム情報は、典型的には、ＵＥに、共有チャネル上で送信されるより多くのシステム情報をＵＥがどのように読み取ることができるかに関する情報を提供する。共有チャネル上での送信は、典型的には共通の探索空間内のシステム情報について、ＤＬ制御チャネルＰＤＣＣＨによって告知される。ＵＥがＰＤＣＣＨを読み取ることを可能にするためには、ＵＥは、使用されるＯＦＤＭヌメロロジー（サブキャリア間隔またはサイクリックプレフィックス）およびＰＤＣＣＨマッピングなどの、使用される探索空間に関する詳細を知らなければならない。
【００４３】
（共通の）制御チャネル探索空間ヌメロロジーのブラインド復号を回避するために、ＵＥには、ＵＥが（共通の）制御チャネルを読み取ろうと試行する前に読み取るいくつかのチャネルまたは信号を介して、使用されるＯＦＤＭヌメロロジーおよびＰＤＣＣＨマッピングが提供され得る。そのような情報は、例えば、同期信号内で（一定のシーケンスまたはフォーマットの同期信号は、一定の（共通の）制御チャネル探索空間ヌメロロジーを指示する）、または、好ましくはブロードキャストチャネルを介して送信され得る。ＭＩＢを搬送するブロードキャストチャネル（ＢＣＨ）は、物理ブロードキャストチャネル（ＰＢＣＨ）を介して送信され得る。例えば、別の無線アクセス技術（ＲＡＴ）または別のタイプのブロードキャストチャネルを介するなど、他のシグナリングも想定され得る。
【００４４】
（共通の）制御チャネル探索空間ヌメロロジーを指示する情報は、例えば、探索空間の使用されるヌメロロジーを指示し得る。加えてまたは代替的に、情報は、（共通の）制御チャネル探索空間が、データチャネルと同じヌメロロジーを使用するか、または、データチャネルよりも２倍もしくは４倍広いものなど、データチャネルとは別のヌメロロジーを使用するかを指示することができる。ここで、データチャネルヌメロロジーをも指示することができる。ＰＤＣＣＨマッピング（シンボル毎またはマルチシンボル）を、データヌメロロジーに対して、別個にまたは（好ましくは）制御領域ヌメロロジーに結合されて、指示することもできる。
【００４５】
共通の制御チャネル探索空間と同じＯＦＤＭシンボルにおいて、典型的には、ＵＥ特有の制御チャネル探索空間も設定される。１つの可能性は、共通の探索空間とＵＥ特有の探索空間の両方に同じヌメロロジーが使用されることである。別の可能性は、ＵＥ特有の探索空間を別個に設定することができることであり、この事例において、ＵＥ特有の探索空間を設定するために余分なシグナリング（例えば、ＲＲＣベースのシグナリング）が要求される。
【００４６】
ＤＬ制御チャネルにより広いサブキャリア間隔を使用する狙いは、各ＯＦＤＭシンボルをより短くすること、および、短くすることによって、固定時間期間を所与としてより多くのビーム（複数のシンボルを有する）を掃引することを可能にすることであり得る。チャネルのカバレッジは、受信チャネル内に包含されるエネルギーに関係し、すなわち、チャネル送信が長いほど、カバレッジはより良好になる。しかしながら、ＤＬ制御カバレッジに使用されるシンボルがより短い配備において、カバレッジは関心事ではなく、これは受け入れられる。
【００４７】
いくつかの他の配備において、ＤＬ制御チャネルのカバレッジは、より困難になり得る。いくつかの事例においては、より多くのエネルギーを得るために、ＤＬ制御チャネル送信が複数のＯＦＤＭシンボルにまたがり得ることさえ想定することができる。この事例において、１つの通常のＯＦＤＭシンボルによって受け取られるエネルギーはすでに小さすぎ、十分なエネルギーを収集するには複数の通常のＯＦＤＭシンボルが必要であるため、データチャネル（したがって、より短いシンボル）と比較してより広いＯＦＤＭサブキャリア間隔を使用することは明らかに、ほとんど意味を成さない。したがって、別の実施形態は、複数のＯＦＤＭシンボルにまたがる制御チャネルが、ＤＬ制御チャネルサブキャリア間隔がデータチャネルと同じである事例にのみ適用可能であることである。
【００４８】
本明細書において記載されている実施形態を実装することができるネットワーク４が、図１に提示されている。ＵＥ１が、ＢＳ２にワイヤレス接続可能である。ＢＳ２は、コアネットワーク３に接続されている。
【００４９】
一実施形態による、複数の異なるチャネルマッピングを使用することを可能にするための方法が、図６Ａに示される。一実施形態による、複数の異なるチャネルマッピングを使用することを可能にするための方法が、図６Ｂに示される。
【００５０】
一実施形態によるＵＥが、図７を参照して提示される。ＵＥ１は、プロセッサ１０と、通信インターフェース１１と、コンピュータプログラム製品１２、１３とを備える。コンピュータプログラム製品は、命令を記憶しており、命令は、プロセッサによって実行されると、ＵＥに、図６Ａに示すステップを実施させる。プロセッサ１０は、処理回路として実装することができる。代替的な実施態様において、プロセッサ１０およびコンピュータプログラム製品１２、１３は、図６Ａに示すステップを実施するように設定されている処理回路によって置き換えられる。
【００５１】
一実施形態によるＢＳが、図８を参照して提示される。ＢＳ２は、プロセッサ２０と、通信インターフェース２１と、コンピュータプログラム製品２２、２３とを備える。コンピュータプログラム製品は、命令を記憶しており、命令は、プロセッサによって実行されると、ＢＳに、図６Ｂに示すステップを実施させる。プロセッサ２０は、処理回路として実装することができる。代替的な実施態様において、プロセッサ２０およびコンピュータプログラム製品２２、２３は、図６Ｂに示すステップを実施するように設定されている処理回路によって置き換えられる。
【００５２】
一実施形態によるＵＥが、図９を参照して提示される。ＵＥ９０は、通信マネージャ９１と、復号マネージャ９２とを備える。図６Ａを参照すると、通信マネージャ９１は、ステップＳ１１０を実施するためのものであり、復号マネージャ９２は、ステップＳ１２０を実施するためのものである。
【００５３】
一実施形態によるＢＳが、図１０を参照して提示される。ＢＳ１００は、通信マネージャ１０１と、符号化マネージャ１０２とを備える。図６Ｂを参照すると、通信マネージャは、ステップＳ２１０およびＳ２３０を実施するためのものであり、符号化マネージャ１０２は、ステップＳ２２０を実施するためのものである。
【００５４】
一実施形態によるコンピュータプログラム１４、１５が提供される。コンピュータプログラムは、コンピュータプログラムコードを備え、コンピュータプログラムコードは、ＵＥ上で作動されると、ＵＥに、図６Ａに示す方法を実施させる。
【００５５】
一実施形態によるコンピュータプログラム２４、２５が提供される。コンピュータプログラムは、コンピュータプログラムコードを備え、コンピュータプログラムコードは、ＢＳ上で作動されると、ＢＳに、図６Ｂに示す方法を実施させる。
【００５６】
コンピュータプログラム１４、１５（図１７）、２４、２５（図８）およびコンピュータプログラム１４、１５、２４、２５が記憶されているコンピュータ可読記憶手段を備えるコンピュータプログラム製品１２、１３（図７）、２２、２３（図８）も提供される。
【００５７】
図７は、ＵＥ１のいくつかの構成要素を示す概略図である。プロセッサ１０は、メモリに記憶されているコンピュータプログラム１４のソフトウェア命令を実行することが可能な、適切な中央処理装置（ＣＰＵ）、マルチプロセッサ、マイクロコントローラ、デジタル信号プロセッサ（ＤＳＰ）、特定用途向け集積回路などのうちの１つまたは複数の任意の組み合わせを使用して提供することができる。したがって、メモリは、コンピュータプログラム製品１２であるか、またはその一部を形成すると考えることができる。プロセッサ１０は、図６Ａを参照して本明細書において記載されている方法を実行するように設定することができる。
【００５８】
メモリは、読み書きメモリ（ＲＡＭ）および読み出し専用メモリ（ＲＯＭ）の任意の組み合わせであってもよい。メモリはまた、例えば、磁気メモリ、光学メモリ、ソリッドステートメモリまたはさらには遠隔設置メモリの任意の単一のものまたは組み合わせであってもよい、永続記憶装置をも含んでもよい。
【００５９】
例えば、プロセッサ１０内のソフトウェア命令の実行中の読み出しおよび／または記憶のために、データメモリの形態の第２のコンピュータプログラム製品１３を提供することもできる。データメモリは、読み書きメモリ（ＲＡＭ）および読み出し専用メモリ（ＲＯＭ）の任意の組み合わせであってもよく、また、例えば、磁気メモリ、光学メモリ、ソリッドステートメモリまたはさらには遠隔設置メモリの任意の単一のものまたは組み合わせであってもよい、永続記憶装置をも含んでもよい。データメモリは、例えば、ＵＥ１の機能を改善するための他のソフトウェア命令１５を保持してもよい。
【００６０】
図９は、ＵＥ１の機能ブロックを示す概略図である。モジュールは、キャッシュサーバ内で実行するコンピュータプログラムなどのソフトウェア命令としてのみ、または、特定用途向け集積回路、フィールドプログラマブルゲートアレイ、個別論理素子、送受信機などのようなハードウェアとしてのみ、または、それらの組み合わせとして実装されてもよい。代替的な実施形態において、機能ブロックのいくつかは、ソフトウェアによって実装されてもよく、他の機能ブロックはハードウェアによって実装されてもよい。モジュールは、通信マネージャ９１および復号マネージャ９２を含め、図６Ａに図解されている方法のステップに対応する。モジュールの１つまたは複数がコンピュータプログラムによって実装される実施形態において、これらのモジュールは必ずしもプロセスモジュールに対応するとは限らず、いくつかのプログラミング言語は一般的にプロセスモジュールを包含しないため、それらが実装されるプログラミング言語に従って命令として書くことができることが理解されるべきである。
【００６１】
通信マネージャ９１は、例えば、コンピュータプログラムを作動させるときに、図７のプロセッサ１０によって実装することができる。復号マネージャ９２は、例えば、コンピュータプログラムを作動させるときに、図７のプロセッサ１０によって実装することができる。
【００６２】
図８は、基地局２のいくつかの構成要素を示す概略図である。プロセッサ２０は、メモリに記憶されているコンピュータプログラム２４のソフトウェア命令を実行することが可能な、適切な中央処理装置（ＣＰＵ）、マルチプロセッサ、マイクロコントローラ、デジタル信号プロセッサ（ＤＳＰ）、特定用途向け集積回路などのうちの１つまたは複数の任意の組み合わせを使用して提供することができる。したがって、メモリは、コンピュータプログラム製品２２であるか、またはその一部を形成すると考えることができる。プロセッサ２０は、図６Ｂを参照して本明細書において記載されている方法を実行するように設定することができる。
【００６３】
メモリは、読み書きメモリ（ＲＡＭ）および読み出し専用メモリ（ＲＯＭ）の任意の組み合わせであってもよい。メモリはまた、例えば、磁気メモリ、光学メモリ、ソリッドステートメモリまたはさらには遠隔設置メモリの任意の単一のものまたは組み合わせであってもよい、永続記憶装置をも含んでもよい。
【００６４】
例えば、プロセッサ２０内のソフトウェア命令の実行中の読み出しおよび／または記憶のために、データメモリの形態の第２のコンピュータプログラム製品２３を提供することもできる。データメモリは、読み書きメモリ（ＲＡＭ）および読み出し専用メモリ（ＲＯＭ）の任意の組み合わせであってもよく、また、例えば、磁気メモリ、光学メモリ、ソリッドステートメモリまたはさらには遠隔設置メモリの任意の単一のものまたは組み合わせであってもよい、永続記憶装置をも含んでもよい。データメモリは、例えば、ＢＳ２の機能を改善するための他のソフトウェア命令２５を保持してもよい。
【００６５】
図１０は、ＢＳ２の機能ブロックを示す概略図である。モジュールは、キャッシュサーバ内で実行するコンピュータプログラムなどのソフトウェア命令としてのみ、または、特定用途向け集積回路、フィールドプログラマブルゲートアレイ、個別論理素子、送受信機などのようなハードウェアとしてのみ、または、それらの組み合わせとして実装されてもよい。代替的な実施形態において、機能ブロックのいくつかは、ソフトウェアによって実装されてもよく、他の機能ブロックはハードウェアによって実装されてもよい。モジュールは、通信マネージャ１０１および符号化マネージャ１０２を含め、図６Ｂに図解されている方法のステップに対応する。モジュールの１つまたは複数がコンピュータプログラムによって実装される実施形態において、これらのモジュールは必ずしもプロセスモジュールに対応するとは限らず、いくつかのプログラミング言語は一般的にプロセスモジュールを包含しないため、それらが実装されるプログラミング言語に従って命令として書くことができることが理解されるべきである。
【００６６】
通信マネージャ１０１は、例えば、コンピュータプログラムを作動させるときに、図８のプロセッサ２０によって実装することができる。符号化マネージャ１０２は、例えば、コンピュータプログラムを作動させるときに、図８のプロセッサ２０によって実装することができる。
【００６７】
本発明は主に、いくつかの実施形態を参照して上記で記載されている。しかしながら、当業者には容易に諒解されるように、上記で開示されているものの他の実施形態が、添付の特許請求の範囲によって規定されるような、本発明の範囲内で等しく可能である。
【図１】
0006907313.tif 000002
【図２】
0006907313.tif 000003
【図３】
0006907313.tif 000004
【図４】
0006907313.tif 000005
【図５】
0006907313.tif 000006
【図６Ａ】
0006907313.tif 000007
【図６Ｂ】
0006907313.tif 000008
【図７】
0006907313.tif 000009
【図８】
0006907313.tif 000010
【図９】
0006907313.tif 000011
【図１０】
0006907313.tif 000012